(57)【要約】【課題】カウンタ上のワークスペースを分散配置し、各ワークスペースを利用して調理作業を効率良く行うことのできるキッチンを提供すること。【解決手段】キッチン１０を構成するカウンタ１１に加熱調理器１３及びシンク１４が配置され、これら加熱調理器１３及びシンク１４間に第１のワークスペースＳ１が設けられている。第１のワークスペースＳ１、加熱調理器１３及びシンク１４の下方以外に家電用キャビネット２６が設けられ、この家電用キャビネット２６の上方に第１のワークスペースＳ１とは離れた位置での作業を可能とする第２のワークスペースＳ２が設けられている。【選択図】図１
2017029205.tif 000002
【特許請求の範囲】
【請求項１】
カウンタに設置された加熱調理器及びシンクの間に第１のワークスペースを有するカウンタを備えたキッチンにおいて、
前記第１のワークスペースと前記加熱調理器及びシンクの下方以外に、前面に開口を有し、内側にコンセントが設置された家電用キャビネットを設け、当該家電用キャビネットの上方に第２のワークスペースを設けたことを特徴とするキッチン。
【請求項２】
前記第２のワークスペースは、少なくとも前記家電用キャビネットの幅を有し、前記第１及び第２のワークスペースは同一平面内に位置することを特徴とする請求項１記載のキッチン。
【請求項３】
前記第１及び第２のワークスペースの幅は同一であることを特徴とする請求項１又は２記載のキッチン。
【発明の詳細な説明】
【技術分野】
【０００１】
本発明はキッチンに係り、更に詳しくは、カウンタ上面の２箇所にワークスペースを設け、これらワークスペースでそれぞれ調理作業を行うことのできるキッチンに関する。
【背景技術】
【０００２】
システムキッチン（通称）の一部を構成するキッチンは、内部に一定の収容空間を備えたキャビネットと、当該キャビネットの上部に配置されたカウンタと、このカウンタの面内に設置された加熱調理器及びシンクとを備えて構成されている（例えば、特許文献１参照）。
【０００３】
特許文献１記載のキッチンは、加熱調理器及びシンク間のカウンタ上面に調理作業等を行うためのワークスペースが設けられているとともに、当該ワークスペースの下方に調理用家電を収容する家電用キャビネットが配置されている。
【０００４】
上記キッチンによれば、ワークスペースにおいて、加熱調理器、シンク、或いは家電用キャビネット内の家電を利用して所要の調理作業を行うことができる。
【先行技術文献】
【特許文献】
【０００５】
【特許文献１】特開２００９−５９５２号公報
【発明の概要】
【発明が解決しようとする課題】
【０００６】
しかしながら、特許文献１に記載されたキッチンにあっては、ワークスペースが加熱調理器とシンクとの間に設けられているだけであり、例えば、家電用キャビネット内の家電を用いてワークスペース上で調理作業を行うと、当該作業にワークスペースが専用されてしまう結果、加熱調理器やシンクを利用して別途の調理作業を行うワークスペースがないことになり、調理作業を段取りよく行うことができない、という不都合がある。
【０００７】
［発明の目的］
本発明は、このような不都合に着目して案出されたものであり、その目的は、ワークスペースを２箇所に配置し、それぞれのワークスペースを利用して調理作業を行うことのできるキッチンを提供することにある。
【課題を解決するための手段】
【０００８】
前記目的を達成するため、本発明は、特許請求の範囲記載の構成を採用したものである。具体的には、カウンタに設置された加熱調理器及びシンクの間に第１のワークスペースを有するカウンタを備えたキッチンにおいて、
前記第１のワークスペースと前記加熱調理器及びシンクの下方以外に、前面に開口を有し、内側にコンセントが設置された家電用キャビネットを設け、当該家電用キャビネットの上方に第２のワークスペースを設ける、という構成を採っている。
【０００９】
本発明において、前記第２のワークスペースは、少なくとも前記家電用キャビネットの幅を有し、前記第１及び第２のワークスペースは同一平面内に位置する、という構成を採ることができる。
【００１０】
また、前記第１及び第２のワークスペースの幅は同一であることが好ましい。
【００１１】
なお、本明細書における「ワークスペース」とは、カウンタに設置された加熱調理器及びシンクを除くカウンタ上面をいう。ただし、カウンタの側端に近い方の加熱調理器の側端と、カウンタの側端が接する壁面等との間に設けることが必要とされる法規制上の離隔幅程度の上面は除く。
また、加熱調理器は電磁調理器、ガスコンロを含む。
【発明の効果】
【００１２】
本発明によれば、２つのワークスペースをカウンタに設けたから、それぞれのワークスペースを利用して調理作業を行うことが可能となる。具体的には、加熱調理器及びシンクの双方を利用できる位置において第１のワークスペースで調理作業を行えるとともに、加熱調理器及びシンクの何れか一方を利用できる別の位置において第２のワークスペースで調理作業を行うことが可能となる。
【００１３】
上記調理作業は、異なる作業を別々のワークスペースで単独で行える他、２人作業の場合においては、互いの位置が離れた状態で調理作業をすることができるので、調理者同士が干渉することなく調理することができる。従って、互いの調理が干渉することによって調理が中断してしまうことを防ぐことができる。なお、調理とは、家電を使用するだけで完結する動作、例えば、水を沸かす、パンをトーストするなどを含む。
【００１４】
また、第２のワークスペースが家電用キャビネットの幅を有するものであれば、家電用キャビネットから家電を取り出し、当該家電を第２のワークスペース上に載せて調理作業を行うことができる。
【００１５】
更に、第１及び第２のワークスペースが同一平面にあれば、何れのワークスペースも作業し易い平面高さに設定できるとともに、段差等がないことで清掃のし易さも確保できる。しかも、カウンタを樹脂製とした場合の成形用型を複雑にすることがなく、コスト的な不利も回避することが期待できる。
【００１６】
また、前記第１及び第２のワークスペースが同一幅であれば、同一内容の作業をどちらのワークスペースでもできるので、使用に際しての任意性を付与することができ調理者の利便性が向上する。
【図面の簡単な説明】
【００１７】
【図１】実施形態に係るキッチンの概略斜視図。
【図２】前記キッチンの概略正面図。
【発明を実施するための形態】
【００１８】
以下、本発明の実施形態について図面を参照しながら説明する。なお、本明細書において、位置若しくは方向を示す用語は、特に明示しない限り、図２を基準とし、同図の紙面直交方向の手前側及び奥側は「前」及び「後」とする
【００１９】
図１及び図２に示されるように、キッチン１０は、内部に一定の収容空間が設けられたキャビネット１１と、当該キャビネット１１の上部に設けられ、平面視矩形のカウンタ１２と、このカウンタ１２の平面内に所定間隔を隔てて設置された加熱調理器１３及びシンク１４とを備えて構成されている。
本実施形態における加熱調理器１３は電磁調理器であり、当該加熱調理器１３とシンク１４との間のカウンタ１２上面は第１のワークスペースＳ１とされ、シンク１４を中間に挟む反対側のカウンタ１２上面は第１のワークスペースＳ１と同一平面上に位置する第２のワークスペースＳ２とされている。
【００２０】
前記キャビネット１１において、第１のワークスペースＳ１の下方は食洗機用キャビネット２１が配置され、当該食洗機用キャビネット２１の内部には、食洗機が固定されている。食洗機用キャビネット２１の左右両側には、引き出し用キャビネット２２、２３が配置され、第２のワークスペースＳ２の下方には、任意に載置可能な調理用家電２５を収容できる家電用キャビネット２６が配置されている。調理用家電２５としてはトースター、電気炊飯器、電気湯沸かし器、電気パン焼き器等が例示できる。
家電用キャビネット２６は、前面に開口２６Ａを有し、家電用キャビネット２６の内側には、調理用家電２５に電気を供給するためのコンセント（図示せず）が設置され、調理用家電２５を載置するためのスライド部材２７を下方に有する。
家電用キャビネット２６の内側にコンセントが設置されているので、家電用調理器２５を収容したまま、調理することが可能である。なお、実施例では、家電用キャビネット２６の奥側を構成する図示しない背板にコンセント（図示せず）が設けられている。なお、コンセントは、キャビネットの内側に設けられていればよく、家電用キャビネット２６の側板に設けられていてもよい。
スライド部材２７は、前後に移動可能で、家電用キャビネット２６の開口２６Ａから家電用キャビネット２６の外に引き出すことができる。このため、任意に載置可能な調理用家電２５を家電用キャビネット２６の開口２６Ａから取り出して第２のワークスペースに置き、調理することもできる。なお、スライド部材２７の前端に把手を設けてもよい。
家電用キャビネット２６の上方には引き出し２８が設けられ、当該引き出し２８の下面、すなわちスライド部材２７の上面と対向する面には、蒸気などによる劣化を防止するため表面にメラミン樹脂シートが貼付されている。
【００２１】
前記第１のワークスペースＳ１の左右幅Ｗ１は、加熱調理器１３の右端とシンク１４の左端との間の幅に相当し、第２のワークスペースＳ２の幅Ｗ２は、家電用キャビネット２６の幅よりも大きい幅であって、第１のワークスペースＳ１の左右幅Ｗ１と同一に設定されている。因みに、本実施形態では、特に限定されるものではないが、第１及び第２のワークスペースＳ１、Ｓ２の各左右幅は５７５ｍｍに設定され、食洗機用キャビネット２１及び家電用キャビネット２６の左右幅は４５０ｍｍとされている。また、加熱調理器１３の下方に位置する引き出し用キャビネット２２の左右幅は７５０ｍｍに設定され、シンク１４の下方に位置する引き出し用キャビネット２３の左右幅は９００ｍｍに設定されている。更に、キッチン１０全体の奥行幅は６５０ｍｍとされている。
【００２２】
本実施形態では、シンク１４の左右両側に、第１及び第２のワークスペースＳ１、Ｓ２が設けられているので、各スペースＳ１、Ｓ２の前方に１人ずつ立って調理作業を行うことができる。この場合、シンク１４の左右幅がスペーサ的な役割をなすことから、両者の離間幅を十分確保でき、一方の者が他方の者の邪魔になるようなことなく作業を行うことができ、作業の分担を明確に図りつつ調理作業を効率良く行うことができる。また、調理の目的がそれぞれ異なる場合には、互いに独立した調理作業を行うことができるから、１人にキッチンが専用されてしまうといった不都合は生じない。
【００２３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状、寸法などを限定した記載は、本発明の理解を容易にするために例示的に記載したものであり、本発明を限定するものではない。
【００２４】
例えば、前記実施形態では、シンク１４を挟む両側に第１、第２のワークスペースＳ１、Ｓ２が設けられた場合を図示、説明したが、加熱調理器１３を挟む両側に第１、第２のワークスペースＳ１、Ｓ２を設ける構成としてもよい。この場合、家電用キャビネット２６を何れかのワークスペースの下方に位置させればよい。本発明は、第１、第２のワークスペースＳ１、Ｓ２が離れた位置に設けられていれば足りるものである。
また、食洗機用キャビネット２１に替えて、他の引き出し用キャビネットを配置してもよく、食洗機用キャビネット２１と家電用キャビネット２６の位置を入れ替えてもよい。
更に、加熱調理器１３としてビルトインタイプのガスコンロや、据え置きタイプのガスコンロを配置する構成としてもよい。
また、図示例では、シンク１４が加熱調理器１３の右側に位置する場合を示したが、加熱調理器１３がシンク１４の右側に位置するタイプのキッチンにも対応可能である。
【符号の説明】
【００２５】
１０…キッチン、１２…カウンタ、１３…加熱調理器、１４…シンク、２６…家電用キャビネット、Ｓ１…第１のワークスペース、Ｓ２…第２のワークスペース、
【図１】
2017029205.tif 000003
【図２】
2017029205.tif 000004